【手続補正書】
【提出日】平成28年7月22日(2016.7.22)
【手続補正１】
【補正対象書類名】明細書
【補正対象項目名】０００６
【補正方法】変更
【補正の内容】
【０００６】
本発明は上記の課題を解決するためになされたものであり、アプリケーションに対応する記録媒体のサイズを当該アプリケーションに提供することができる情報処理技術を提供することを目的とする。
【手続補正２】
【補正対象書類名】明細書
【補正対象項目名】０００７
【補正方法】変更
【補正の内容】
【０００７】
上記の目的を達成するための本発明による情報処理装置は以下の構成を備える。即ち、
プリンタを使用してデータを印刷する機能を有する複数のアプリケーションのうちの、前記プリンタの能力情報を要求したアプリケーションを判別する判別手段と、
前記判別手段で判別したアプリケーションに応じた、印刷に使用する記録媒体の選択候補のサイズを、前記アプリケーションに提供する提供手段と、
を備える。
【手続補正３】
【補正対象書類名】明細書
【補正対象項目名】０００８
【補正方法】変更
【補正の内容】
【０００８】
本発明によれば、アプリケーションに対応する記録媒体のサイズを当該アプリケーションに提供することができる。
【手続補正４】
【補正対象書類名】特許請求の範囲
【補正対象項目名】全文
【補正方法】変更
【補正の内容】
【特許請求の範囲】
【請求項１】
プリンタを使用してデータを印刷する機能を有する複数のアプリケーションのうちの、前記プリンタの能力情報を要求したアプリケーションを判別する判別手段と、
前記判別手段で判別したアプリケーションに応じた、印刷に使用する記録媒体の選択候補のサイズを、前記アプリケーションに提供する提供手段と、
を備えることを特徴とする情報処理装置。
【請求項２】
前記プリンタに対応するプリンタドライバを実行することにより、前記判別手段による判別と前記提供手段による提供を行う
ことを特徴とする請求項１に記載の情報処理装置。
【請求項３】
前記プリンタドライバに対応する所定の複数のサイズから、前記判別手段で判別したアプリケーションに応じた選択候補のサイズを決定する決定手段を備え、
前記提供手段は、前記決定手段により決定された選択候補のサイズを提供する
ことを特徴とする請求項２に記載の情報処理装置。
【請求項４】
前記所定の複数のサイズは、第１のアプリケーションと第２のアプリケーションのそれぞれに対する前記決定手段による選択候補のサイズの決定に共通に用いられ、
前記決定手段は、前記判別手段により前記第１のアプリケーションが判別された場合、前記所定の複数のサイズから、前記第１のアプリケーションに応じた１または複数の第１サイズを決定し、前記決定手段は、前記判別手段により前記第２のアプリケーションが判別された場合、前記所定の複数のサイズから、前記第２のアプリケーションに応じた、前記１または複数の第１サイズとは異なる組み合わせの、１または複数の第２サイズを決定する
ことを特徴とする請求項３に記載の情報処理装置。
【請求項５】
前記１または複数の第１サイズと前記１または複数の第２サイズは、互いに一部が共通し、一部が異なる
ことを特徴とする請求項４に記載の情報処理装置。
【請求項６】
前記プリンタドライバに設定されている原稿サイズを取得する取得手段を更に備え、
前記提供手段は、前記取得手段で取得した原稿サイズに対応するサイズが、前記決定手段により決定されたサイズに含まれていない場合、前記決定手段により決定されたサイズと、前記取得手段で取得した前記原稿サイズもしくは前記原稿サイズと同一のサイズ系列のサイズと、を提供する
ことを特徴とする請求項３乃至５のいずれか１項に記載の情報処理装置。
【請求項７】
アプリケーション毎に対応するサイズリストを保持する保持手段を更に備え、
前記提供手段は、前記保持手段を参照して、前記判別手段で判別したアプリケーションに応じたサイズを提供する
ことを特徴とする請求項１または２に記載の情報処理装置。
【請求項８】
前記判別手段により判別されたアプリケーションにより、前記提供手段により提供された複数のサイズを示すリストを表示装置に表示する表示制御手段を更に備える
ことを特徴とする請求項１乃至７のいずれか１項に記載の情報処理装置。
【請求項９】
前記提供手段は、前記複数のサイズと当該複数のサイズの順序とを特定するための情報を提供し、
前記表示制御手段は、前記アプリケーションにより、前記提供手段により提供される情報により特定される前記複数のサイズが当該情報により特定される順序に従って並んだリストを表示装置に表示する
ことを特徴とする請求項８に記載の情報処理装置。
【請求項１０】
前記記録媒体は用紙であり、
前記プリンタに対する出力用紙サイズを取得する第２の取得手段を更に備え、
前記表示制御手段は、前記提供手段により提供される情報により特定される前記複数のサイズが当該情報により特定される順序と前記第２の取得手段で取得した出力用紙サイズとに基づく順序で並んだ前記リストを表示する
ことを特徴とする請求項９に記載の情報処理装置。
【請求項１１】
プリンタを使用してデータを印刷する機能を有する複数のアプリケーションのうちの、前記プリンタの能力情報を要求したアプリケーションを判別する判別工程と、
前記判別工程で判別したアプリケーションに応じた、印刷に使用する記録媒体の選択候補のサイズを、前記アプリケーションに提供する提供工程と、
を備えることを特徴とする情報処理方法。
【請求項１２】
コンピュータを、
プリンタを使用してデータを印刷する機能を有する複数のアプリケーションのうちの、前記プリンタの能力情報を要求したアプリケーションを判別する判別手段、
前記判別手段で判別したアプリケーションに応じた、印刷に使用する記録媒体の選択候補のサイズを、前記アプリケーションに提供する提供手段、
として機能させるためのプログラム。
【請求項１３】
前記プログラムはプリンタドライバを含む
ことを特徴とする請求項１２に記載のプログラム。
【請求項１４】
前記コンピュータを、前記プリンタドライバに対応する所定の複数のサイズから、前記判別手段で判別したアプリケーションに応じた選択候補のサイズを決定する決定手段として更に機能させ、
前記提供手段は、前記決定手段により決定された選択候補のサイズを提供する
ことを特徴とする請求項１３に記載のプログラム。
【請求項１５】
前記所定の複数のサイズは、第１のアプリケーションと第２のアプリケーションのそれぞれに対する前記決定手段による選択候補のサイズの決定に共通に用いられ、
前記決定手段は、前記判別手段により前記第１のアプリケーションが判別された場合、前記所定の複数のサイズから、前記第１のアプリケーションに応じた１または複数の第１サイズを決定し、前記決定手段は、前記判別手段により前記第２のアプリケーションが判別された場合、前記所定の複数のサイズから、前記第２のアプリケーションに応じた、前記１または複数の第１サイズとは異なる組み合わせの、１または複数の第２サイズを決定する
ことを特徴とする請求項１４に記載のプログラム。
【請求項１６】
前記１または複数の第１サイズと前記１または複数の第２サイズは、互いに一部が共通し、一部が異なる
ことを特徴とする請求項１５に記載のプログラム。
【請求項１７】
前記コンピュータを、前記プリンタドライバに設定されている原稿サイズを取得する取得手段として更に機能させ、
前記提供手段は、前記取得手段で取得した原稿サイズに対応するサイズが、前記決定手段により決定されたサイズに含まれていない場合、前記決定手段により決定されたサイズと、前記取得手段で取得した前記原稿サイズもしくは前記原稿サイズと同一のサイズ系列のサイズと、を提供する
ことを特徴とする請求項１４乃至１６のいずれか１項に記載のプログラム。
【請求項１８】
前記提供手段は、アプリケーション毎に対応するサイズリストを保持する保持手段を参照して、前記判別手段で判別したアプリケーションに応じたサイズを提供する
ことを特徴とする請求項１２または１３に記載のプログラム。
【請求項１９】
前記プログラムは、前記複数のアプリケーションを含み、
前記コンピュータを、前記判別手段により判別されたアプリケーションにより、前記提供手段により提供された複数のサイズを示すリストを表示装置に表示する表示制御手段として更に機能させる
ことを特徴とする請求項１２乃至１８のいずれか１項に記載のプログラム。
【請求項２０】
前記提供手段は、前記複数のサイズと当該複数のサイズの順序とを特定するための情報を提供し、
前記表示制御手段は、前記アプリケーションにより、前記提供手段により提供される情報により特定される前記複数のサイズが当該情報により特定される順序に従って並んだリストを表示装置に表示する
ことを特徴とする請求項１９に記載のプログラム。
【請求項２１】
前記記録媒体は用紙であり、
前記コンピュータを、前記プリンタに対する出力用紙サイズを取得する第２の取得手段として更に機能させ、
前記表示制御手段は、前記提供手段により提供される情報により特定される前記複数のサイズが当該情報により特定される順序と前記第２の取得手段で取得した出力用紙サイズとに基づく順序で並んだ前記リストを表示する
ことを特徴とする請求項２０に記載のプログラム。